(57)【要約】【課題】見る者の興味を引いて情報伝達効果が向上するほか、他人には知られたくない情報も伝達できる立体表示冊子を提供する。【解決手段】立体表示冊子１は、二つ折りする上位基材１２と下位基材１３とを各折り用ミシン目１４が一致するように重ね合わせて、少なくとも四周縁を除いた部分は剥離可能に接着し、上位基材１２の表出面側が重なるように二つ折りして見開き可能に接着し、見開き状態にすると上位基材１２の立体表示部１８ａ，１８ｂが立体的に起立して、立体表示情報１９ｂや表出情報２３ａ，２３ｂをみることができる立体表示体２を、下位基材１３の表出面側で複数接着してなる。【選択図】　　　　図７
2004034350.tif 000002
【特許請求の範囲】
【請求項１】
二つ折りする上位基材と下位基材とをこれら基材に設けた折り部が一致するように重ね合わせて、少なくとも四周縁を除いた部分は剥離可能に接着し、前記上位基材の表出面側が重なるように二つ折りして見開き可能に接着し、見開き状態にすると前記上位基材の四周縁を除いた部分の所定部が立体的に起立する立体表示体を、前記下位基材の表出面側で複数接着してなる立体表示冊子であって、前記立体表示体は、前記上位基材に、前記折り部を対称軸として対称で前記折り部側には立ち上がり折り部を有する一対の立体表示部をスリットで区画形成し、この立体表示部の前記下位基材との重ね合わせ面側には立体表示情報を表示し、二つ折りした時の重ね合わせ面側には、少なくとも前記立体表示部の外側に接着後に剥離可能な弱接着部を設けるとともに、前記立体表示部の前記折り部とは反対側の部分に強接着部を設け、また、前記下位基材の前記上位基材との重ね合わせ面側には前記一対の立体表示部にそれぞれ対応する部分に表出情報を表示した表出情報表示部を設けてなることを特徴とする立体表示冊子。
【発明の詳細な説明】
【０００１】
【発明の属する技術分野】
本発明は、二つ折りする上位基材と下位基材とを各折り部が一致するように重ね合わせて、少なくとも四周縁においては剥離困難に接着し、前記上位基材の表出面側が重なるように二つ折りして、見開き可能に接着してなり、見開き状態にすると前記上位基材の所定部分が立体的に起立する立体表示体を、前記下位基材の表出面側で複数接着してなる立体表示冊子に関する。
【０００２】
【従来の技術】
従来においては、開封すると立体化紙片を取り出すことができる封書（特開平９−７１０６８号公報）や開封した後に立体化可能な封書（特開平１１−１０５４６６号公報）は知られているが、これら従来例では、二紙片を直角に開いて、立体化紙片とするものであり、また、封書として使用するものである。さらに、見開くと登場人物などが立体的に起立する絵本も知られているが、幼児の興味を引くことはできるものの、情報の伝達はできないものであった。
【０００３】
【発明が解決しようとする課題】
このため、従来においては、立体化紙片の形状が特定化されて変化に乏しいとともに、使用目的が特殊の用途に限定され、一般的な情報の伝達には適さないという不都合がある。本発明は、このような従来の不都合を解消した立体表示冊子を提供することを目的とする。
【０００４】
【課題を解決するための手段】
この目的を達成するために、本発明の請求項１に係る立体表示冊子は、二つ折りする上位基材と下位基材とをこれら基材に設けた折り部が一致するように重ね合わせて、少なくとも四周縁を除いた部分は剥離可能に接着し、前記上位基材の表出面側が重なるように二つ折りして見開き可能に接着し、見開き状態にすると前記上位基材の四周縁を除いた部分の所定部が立体的に起立する立体表示体を、前記下位基材の表出面側で複数接着してなる立体表示冊子であって、前記立体表示体は、前記上位基材に、前記折り部を対称軸として対称で前記折り部側には立ち上がり折り部を有する一対の立体表示部をスリットで区画形成し、この立体表示部の前記下位基材との重ね合わせ面側には立体表示情報を表示し、二つ折りした時の重ね合わせ面側には、少なくとも前記立体表示部の外側に接着後に剥離可能な弱接着部を設けるとともに、前記立体表示部の前記折り部とは反対側の部分に強接着部を設け、また、前記下位基材の前記上位基材との重ね合わせ面側には前記一対の立体表示部にそれぞれ対応する部分に表出情報を表示した表出情報表示部を設けてなるものである。
【０００５】
【発明の実施の形態】
以下、本発明の好適な実施の形態を添付図面に基づいて詳細に説明する。ここにおいて、図１は立体表示冊子の側面図、図２はその拡大断面図、図３は立体表示冊子の構成単位である立体表示体の上位基材の二つ折り重ね合わせ面側を示す平面図、図４はそのＡ−Ａ線断面図、図５は上位基材の下位基材との重ね合わせ面側を示す平面図、図６は下位基材の上位基材との重ね合わせ面側を示す平面図、図７は立体表示冊子の立体表示体を見開いた状態を示す斜視図である。
【０００６】
図１に示すように、立体表示冊子１は複数の同一構成の立体表示体２を接着して構成している。したがって、まず、立体表示冊子１の構成単位であるこの立体表示体２の構成を説明する。図３及び図４に示すように、立体表示体２作成するための重ね合わせシート１１は、ほぼ同一大で、二つ折りするための折り用ミシン目１４，１５をそれぞれ設けた上位基材１２と下位基材１３を、前記折り用ミシン目１４，１５が上下に対応位置するように重ね合わせて、接着後に剥離可能な接着力の弱い感圧性接着剤である弱接着剤１６で、全面的に剥離可能に接着してなる。なお、後述する立体表示部１８ａ，１８ｂに対応しない前記上位基材１２と前記下位基材１３の四周縁は剥離困難に接着してもよい。
【０００７】
図３に示すように、上位基材１２には、折り用ミシン目１４を対称軸として対称で折り用ミシン目１４，１５側には立ち上がり折り部たるハーフスリット状の折り線２５ａ，２５ｂを有する一対の立体表示部１８ａ，１８ｂをスリット１７ａ，１７ｂで区画形成している。前記立ち上がり折り部は、各折り線２５ａ，２５ｂのように何らかの加工を施して形成するほか、前記各立体表示部１８ａ，１８ｂが立ち上がる際の折り部となる限り、何らの加工を施さなくてもよいものである。図５に示すように、前記各立体表示部１８ａ，１８ｂの下位基材１３との重ね合わせ面側には、文字、図柄などからなる立体表示情報１９ａ，１９ｂを表示している。
【０００８】
図３及び図４に示すように、上位基材１２の二つ折り重ね合わせ面側における各立体表示部１８ａ，１８ｂの折り用ミシン目１４とは反対側の部分には、所定範囲に及んで接着後に剥離困難な接着力の感圧性接着剤を塗布してなる強接着部２０ａ，２０ｂを設け、その他の部分には弱接着剤１６と同様の感圧性接着剤を塗布してなる接着後に剥離可能な弱接着部２１を設けている。
【０００９】
図６に示すように、下位基材１３の上位基材１２との重ね合わせ面側には、前記上位基材１２の一対の立体表示部１８ａ，１８ｂにそれぞれ対応する表出情報表示部２２ａ，２２ｂに、それぞれ文字、図柄などからなる表出情報２３ａ，２３ｂを表示している。なお、前記下位基材１３の表出面側は、立体表示冊子１となるときに他の立体表示体２と接着される面なので、立体表示冊子１の最上位と最下位の表出面を除いて、何らの表示も設けられていない。
【００１０】
また、図３、図５〜図７に示すように、上位基材１２及び下位基材１３の対応する一隅部には、立体表示体２を見開く際に、指を掛ける指掛け部を形成するための三角形状の切り欠き部２６，２７を設けている。
【００１１】
以上のように構成した重ね合わせシート１１を、各折り用ミシン目１４，１５で上位基材１２の表出面側を重ね合わせるように二つ折りすると、強接着部２０ａ，２０ｂは剥離困難に、弱接着部２１は剥離可能に接着した、立体表示体２となる。そして、図２に示すように、この立体表示体２の下位基材１３の表出面側同士を強接着剤２４で剥離困難に接着して、立体表示冊子１を構成している。
【００１２】
この立体表示冊子１は、各立体表示体２の上位基材１２の一方側を他方側に対して捲り上げると、弱接着部２１に対応する重ね合わせ面は剥離されるが、強接着部２０ａ，２０ｂに対応する重ね合わせ面は剥離されずに、接着状態を維持する。
【００１３】
したがって、図７に示すように、スリット１７ａ，１７ｂの外側部分は剥離されて、立体表示体２は見開き状態になる一方、一対の立体表示部１８ａ，１８ｂは強接着部２０ａ，２０ｂによって接着されて離反しないので、立体的に立ち上がることになる。これによって、上位基材１２の立体表示部１８ａ，１８ｂの下位基材１３との重ね合わせ面側に設けた立体表示情報１９ａ，１９ｂが表出し、また、下位基材１３の表出情報表示部２２ａ，２２ｂに表示した表出情報２３ａ，２３ｂも表出して、視認可能になる。
【００１４】
なお、本発明は、上述の各実施形態に限定されるものではなく、例えば、一対の立体表示部１８ａ，１８ｂの形状は、立体表示情報１９ａ，１９ｂに関連した形状にするなど、図示のものに限らない。また、上位基材１２と下位基材１３の重ね合わせ面における立体表示部１８ａ，１８ｂに対応する部分には、剥離可能な接着剤を塗布せずに、非接着状態としてもよい。
【００１５】
【発明の効果】
以上のように、本発明の請求項１に係る立体表示冊子によれば、構成単位である立体表示体を見開くことによって、はじめて表示されている情報を見ることができるので、見る者の興味を引いて情報伝達効果が向上するほか、他人には知られたくない情報も伝達でき、また、起立部分の形状も任意に設定できるという効果を奏する。
【図面の簡単な説明】
【図１】立体表示冊子の側面図。
【図２】立体表示冊子の拡大断面図。
【図３】立体表示冊子の構成単位である立体表示体の上位基材の二つ折り重ね合わせ面側を示す平面図。
【図４】図３のＡ−Ａ線断面図。
【図５】上位基材の下位基材との重ね合わせ面側を示す平面図。
【図６】下位基材の上位基材との重ね合わせ面側を示す平面図。
【図７】立体表示冊子の立体表示体を見開いた状態を示す斜視図。
【符号の説明】
１　　　立体表示冊子
２　　　立体表示体
１１　　　重ね合わせシート
１２　　　上位基材
１３　　　下位基材
１４，１５　　　折り用ミシン目
１６　　　弱接着剤
１７ａ，１７ｂ　　　スリット
１８ａ，１８ｂ　　　立体表示部
１９ａ，１９ｂ　　　立体表示情報
２０ａ，２０ｂ　　　強接着部
２１　　　弱接着部
２２ａ，２２ｂ　　　表出情報表示部
２３ａ，２３ｂ　　　表出情報
２４　　　強接着剤
【図１】
2004034350.tif 000003
【図２】
2004034350.tif 000004
【図３】
2004034350.tif 000005
【図４】
2004034350.tif 000006
【図５】
2004034350.tif 000007
【図６】
2004034350.tif 000008
【図７】
2004034350.tif 000009